【手続補正書】
【提出日】平成17年5月18日(2005.5.18)
【手続補正１】
【補正対象書類名】明細書
【補正対象項目名】全文
【補正方法】変更
【補正の内容】
【書類名】  明細書
【発明の名称】  炊飯器
【特許請求の範囲】
【請求項１】  炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルに巻数が１巻少ない箇所を設けた炊飯器。
【請求項２】  制御部は保護枠の側近傍に位置し、誘導コイルの２本のリード線引出し位置の間に制御部を配置した請求項１記載の炊飯器。
【請求項３】  誘導コイルを複数設けた請求項１または２記載の炊飯器。
【請求項４】  複数の誘導コイルの制御を分離し個別制御可能とした請求項１〜３のいずれか１項に記載の炊飯器。
【請求項５】  炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルのコイル線の先端を略ナット形状を有する端子とし、前記保護枠の配線ボス上に前記端子をインサート成形した炊飯器。
【発明の詳細な説明】
【０００１】
【発明の属する技術分野】
本発明は、炊飯器本体内に着脱自在に収納される鍋を誘導コイルにより電磁誘導加熱する炊飯器に関するものである。
【０００２】
【従来の技術】
従来、この種の炊飯器は図７に示すように構成していた。以下、その構成について説明する。
【０００３】
図７に示すように、炊飯器本体１は、内部に鍋２を着脱自在に収納するとともに、鍋２を加熱する複数のポリアミド系銅線を撚り合せた誘導コイル４と制御部５とからなる加熱手段３を設けている。保護枠６は、炊飯器本体１内で鍋２の収納部の底部分を構成し、誘導コイル４と誘導コイル４の下方に位置するフェライト（図示せず）を保持している。ボディ７は、炊飯器本体１の外郭を構成し、炊飯器本体１の上面開口部を蓋体８で覆うよう構成している。
【０００４】
制御部５は、近年小さく置き場所をとらないコンパクトな炊飯器が好まれる傾向にあるから、保護枠６の側近傍に配置し、炊飯器のコンパクト化が行われている。
【０００５】
ここで、誘導コイル４と制御部５の接続について説明する。誘導コイル４には、図８に示すように、先端に端子をかしめた入力側コイルリード線９と出力側コイルリード線１０を接続しており、制御部５に、入力側コイルリード線９と出力側コイルリード線１０にそれぞれ接続する先端に端子をかしめた入力側基板リード線１１と出力側基板リード線１２をそれぞれ接続している。保護枠６には、有底で金属部材の有底ナット１４を先端にインサート成形した配線ボス１３を設けており、各入力側、出力側のリード線はこの配線ボス１３上でビス締付けし、配線接続していた。
【０００６】
ここで、入力側コイルリード線９と出力側コイルリード線１０の保護枠６からの引出し位置は、各コイルリード線と基板リード線は配線ボス１３上でビス締付けにより配線接続することにより、炊飯器組立作業でビス締付け作業が発生するが、配線作業を一箇所に集約し、作業効率を上げる観点から誘導コイル４は全周同じ巻数とし、入力側コイルリード線９と出力側コイルリード線１０を近接した位置から引出し、それぞれ近接した位置でビス締付けし配線するのが主流であった。
【０００７】
【発明が解決しようとする課題】
しかしながら、このような従来の炊飯器では、誘導コイル４により鍋２が発熱し炊飯や保温を行うが、誘導コイル４を保持する保護枠６の側近傍に電子部品や電気接続部など動作時に発熱する部品を有する制御部５を配置していることにより、炊飯器本体１内の温度差が発生し、鍋２周囲の温度の不均一により鍋２からの内部ご飯への加熱差が生じ、ご飯の炊き上がりに炊きむらができる場合があるという問題があった。
【０００８】
また、入力側コイルリード線９と出力側コイルリード線１０は異極のため互いのコイルリード線が接触しないようコイルリード線を絶縁性のチューブなどで囲うか、または配線用リブを保護枠６に設け、コイルリード線が誘導コイル４やもう一方のコイルリード線に接触しないよう複雑な配線処理を行わなければならないという問題があった。
【０００９】
本発明は上記従来の課題を解決するもので、炊飯時の鍋の加熱ばらつきを低減し、ご飯の炊きむらをなくしてご飯のおいしさを向上することを第１の目的としている。
【００１０】
また、炊飯器本体の内部配線を簡素化するとともに内部構成部品を削減して組立作業を効率化し、製造原価を底減して安価な炊飯器を提供することを第２の目的としている。
【００１１】
【課題を解決するための手段】
本発明は上記第１の目的を達成するために、炊飯器本体内に鍋を着脱自在に収納するとともに、炊飯器本体内に鍋を加熱する誘導コイルと制御部からなる加熱手段を設け、誘導コイルを保護枠により保持し、炊飯器本体の外郭をボディにより構成し、炊飯器本体の上面開口部を蓋体により覆うよう構成し、誘導コイルに巻数が１巻少ない箇所を設けたものである。
【００１２】
これにより、炊飯時の鍋の加熱ばらつきを低減できて、ご飯の炊きむらをなくしてご飯のおいしさを向上することができる。
【００１３】
また、上記第２の目的を達成するために、炊飯器本体内に鍋を着脱自在に収納するとともに、炊飯器本体内に鍋を加熱する誘導コイルと制御部からなる加熱手段を設け、誘導コイルを保護枠により保持し、炊飯器本体の外郭をボディにより構成し、炊飯器本体の上面開口部を蓋体により覆うよう構成し、誘導コイルのコイル線の先端を略ナット形状を有する端子とし、保護枠の配線ボス上に端子をインサート成形したものである。
【００１４】
これにより、炊飯器本体の内部配線を簡素化できるとともに、内部構成部品を削減できて組立作業を効率化することができ、製造原価を底減して安価な炊飯器を提供することができる。
【００１５】
【発明の実施の形態】
本発明の請求項１に記載の発明は、炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルに巻数が１巻少ない箇所を設けたものであり、電子部品や電気接続部など動作時発熱する部品を有する制御部により炊飯器本体内部温度が部分的に変化した場合でも、制御部に相対する誘導コイルの巻数を１巻削減することで鍋の発熱量を部分的に減少させることができ、このように鍋の発熱量を部分的に減少させて調整することにより鍋の加熱ばらつきを低減できて、ご飯の炊きむらをなくし、ご飯のおいしさを向上することができる。
【００１６】
請求項２に記載の発明は、上記請求項１に記載の発明において、制御部は保護枠の側近傍に位置し、誘導コイルの２本のリード線引出し位置の間に制御部を配置したものであり、誘導コイルに接続したコイルリード線と、制御部に接続した基板リード線の長さを短縮することができ、また、絶縁部材をなくすことにより材料コストを低減でき、また、リード線長さが短くなったことにより各リード線の配線処理を簡素化し組立作業効率を向上することができる。
【００１７】
請求項３に記載の発明は、上記請求項１または２に記載の発明において、誘導コイルを複数設けたものであり、個々の誘導コイルより磁束が発生し相対する鍋部分を発熱させることとなり、鍋の形状にあわせ発熱位置を調整し炊飯に適した鍋の温度分布にすることができ、ご飯のおいしさを向上することができる。
【００１８】
請求項４に記載の発明は、上記請求項１〜３に記載の発明において、複数の誘導コイルの制御を分離し個別制御可能としたものであり、さらに細やかな鍋温度の制御をすることができ、ご飯を炊き上げるに際し「吸水」、「炊き上げ」、「むらし」大別できるが、各炊き上げの工程で鍋の必要な部分に適切な加熱を行うことにより、ご飯のおいしさをさらに向上することができる。
【００１９】
請求項５に記載の発明は、炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルのコイル線の先端を略ナット形状を有する端子とし、前記保護枠の配線ボス上に前記端子をインサート成形したものであり、略ナット形状を有する端子がコイルリード線と基板リード線のビス締め配線部に設けていた有底ナットの役割を果すことにより、有底ナットを削除し構成部品を減らし、また、コイルリード線の配線作業がなくなることにより組立作業を効率化することができて、製造原価を低減することができる。
【００２０】
【実施例】
以下、本発明の実施例について、図面を参照しながら説明する。
【００２１】
（実施例１）
図１に示すように、炊飯器本体２１は、上面を開口しており、この炊飯器本体２１後方に設けたヒンジ部３５で軸支した蓋体２８により上面を覆っている。炊飯器本体２１の内部に鍋２２の収納部である保護枠２６を設け、この保護枠２６は樹脂成形部品で形成し、鍋２２の底部の温度を検知する底温度センサ３７を設けている。
【００２２】
保護枠２６の外側に複数の融着性のポリアミド系銅線を撚り合せた誘導コイル２４と制御部２５により構成される加熱手段２３を設け、誘導コイル２４の下方に磁束の炊飯器本体２１外への放出を防止する複数のフェライト（図示せず）を設け、炊飯器本体１の外郭を構成するボディ２７を設けている。
【００２３】
制御部２５は、図２に示すように、電子部品や電気接続部など動作時発熱する金属部品を有し、誘導コイル２４と接続する先端に接続端子を圧着し絶縁性の被覆に覆われた入力側基板リード線３１ａと出力側基板リード線３２ａを設けており、誘導コイル２４とボディ２７の間で、炊飯器本体２１のコンパクト化のため炊飯器本体２１後方で蓋体２８を軸支しているヒンジ部３５下方の誘導コイル２４に近接した位置に保護枠２６により保持され配置している。
【００２４】
誘導コイル２４は、保護枠２６にインサート成形されており、制御部２５と電気的に接続するためコイルの両端に、先端に接続端子を圧着した入力側コイルリード線２９ａと出力側コイルリード線３０ａを引出している。ここで、各コイルリード線の保護枠２６からの引出し位置は、制御部２５の両端近傍より入力側コイルリード線２９ａと出力側コイルリード線３０ａをそれぞれ別々に引出しており、保護枠２６に設けた先端に有底ナット３４をインサート成形した配線ボス３３ａ上でそれぞれ入力側基板リード線３１ａと出力側基板リード線３２ａにビス締付けにより配線している。
【００２５】
配線ボス３３ａは、それぞれ制御部２５の両端近傍で、入力側コイルリード線２９ａおよび出力側コイルリード線３０ａの引出し位置の制御部２５側に位置している。このときの各コイルリード線は、誘導コイル２４とコイルリード線間には保護枠２６の樹脂が介在し接触することはない。
【００２６】
ここで、誘導コイル２４は入力側コイルリード線２９ａと出力側コイルリード線３０ａをそれぞれ別方向より引出していることにより、コイルの巻数に１巻多い箇所と少ない箇所ができるが、本実施例では、制御部２５に相対する位置（図２の矢印ａ）の誘導コイル２４の巻数を１巻少ない巻数とし配置している。
【００２７】
上記構成において動作を説明する。炊飯時において、制御部２５から誘導コイル２４へ電力を供給し、誘導コイル２４からの磁束の発生により鍋２２が発熱する。鍋２２内のご飯の温度は、底温度センサー３７により鍋２２の温度を検知することにより制御部２５によって制御され、炊飯・保温が行われる。
【００２８】
このとき、電力を供給されている誘導コイル２４の自己発熱および制御部２５上の電子部品や電気接続部など動作時発熱する部品による発熱で、炊飯器本体２１内の温度は上昇する。
【００２９】
ここで、誘導コイル２４の各コイルリード線の保護枠２６からの引出し位置を同じ位置とし、誘導コイル２４の巻数を全周同じにしていた場合は、誘導コイル２４による鍋２２の均等加熱に加え、制御部２５による炊飯器本体の後方側のみの温度上昇により、鍋２２の周囲温度は炊飯器本体の後方側の温度が高くなることにより、鍋２２の内部のご飯は、炊飯器本体の後方側が高温により乾燥し、炊飯器本体の前側方が低温によりべたつき気味になる。
【００３０】
本実施例では、制御部２５に相対する誘導コイル２４の巻数を１巻減じていることにより、誘導コイル２４による鍋２２の加熱は１巻減じている制御部２５に相対する部分が小さくなり、よって、炊飯器本体２１内の後方部の温度上昇を緩和することができる。炊飯器本体２１内の雰囲気温度を含めた鍋２２の加熱の均等化を行うことにより、鍋２２の加熱ばらつきを減少させることができ、炊き上がりご飯の炊きむらをなくし、ご飯のおいしさを向上することができる。
【００３１】
保温時においても同様であり、炊飯器本体２１の後方の保温ご飯が乾燥し、炊飯器本体の前側方のご飯が蒸気の結露により、べたつきふやけ気味であったのであるが、本実施例では、炊飯器本体２１内の雰囲気温度を含めた鍋２２の加熱の均等化を行うことにより、加熱ばらつきを減少させることができ、保温ご飯の乾燥・べたつきをなくし、おいしさを向上することができる。
【００３２】
つぎに、各リード線の配線について説明する。各リード線を配線接続する配線ボス３３ａを制御部２５の両端近傍に設けていることにより、入力側基板リード線３１ａと出力側基板リード線３２ａの長さは短く、また、入力側コイルリード線２９ａと出力側コイルリード線３０ａもそれぞれの引出し位置を制御部２５の両端近傍に設けていることにより長さを短くでき、また、長さが短いことにより炊飯器本体２１内の充電部に接触する恐れがなく、絶縁部材を必要としない。
【００３３】
さらに、配線ボス３３ａをそれぞれ入力側コイルリード線２９ａと出力側コイルリード線３０ａの引出し位置と制御部２５の間に設けていることにより、制御部２５に電子部品などのエッジ部分が突出した場合でも、各コイルリード線は配線ボス３３により制御部２５のエッジ部分に触れることなく、安全である。
【００３４】
なお、本実施例では、制御部２５に相対する位置の誘導コイル２４の巻数を１巻少ない巻数とし配置しているが、制御部２５の配置ではなく、ボディ２７の吸気口などにより誘導コイル２４の巻数を設定し、炊飯器本体２１内雰囲気温度も含めた鍋２２の加熱の均一化を行うようにしてもよく、同様の作用効果を得ることができる。
【００３５】
（実施例２）
図３に示すように、誘導コイル２４を底中央誘導コイル３８ａと底縁誘導コイル３９ａの２つに分割し、直列に接続して鍋底中央と鍋底縁の２箇所に別れて鍋２２を加熱するよう構成している。ここで、底中央誘導コイル３８ａと底縁誘導コイル３９ａのコイルそれぞれの巻数の増加減が可能でなる。他の構成は上記実施例１と同じである。
【００３６】
上記構成において動作を説明する。なお、制御部２５に相対する誘導コイル２４の巻数を１巻減じることで、炊飯器本体２１内の雰囲気温度を含めた鍋２２の加熱の均等化する点は、上記実施例１と同じであるので説明を省略する。
【００３７】
鍋２２の加熱部分を鍋底中央と鍋底縁に分けることにより、鍋２２で過剰加熱部分に相対する位置には誘導コイルを削除し、加熱の足りなかった部分の相対位置には誘導コイルを設けて、鍋２２の加熱バランスを調整するなど鍋２２の形状にあわせた加熱を行うことができ、ご飯の炊きむらをより減少させて、おいしくご飯を炊き上げることができる。
【００３８】
なお、本実施例では、底中央誘導コイル３８、底縁誘導コイル３９をそれぞれ鍋２２の底面に配置したが、底中央誘導コイル３８、底縁誘導コイル３９は底２２の底面に限るものではなく、鍋２２の側方に配置させてもよく、同様の作用効果を得ることができる。
【００３９】
また、本実施例では、制御部２５に相対する位置の誘導コイル２４の巻数を１巻少ない巻数とし配置しているが、制御部２５の配置ではなく、ボディ２７の吸気口などにより誘導コイル２４の巻数を設定し、炊飯器本体２１内雰囲気温度も含めた鍋２２の加熱の均一化を行うようにしてもよく、同様の作用効果を得ることができる。
【００４０】
（実施例３）
図４に示すように、底中央誘導コイル３８ｂと底縁誘導コイル３９ｂにそれぞれ入力側コイルリード線２９ｂ、２９ｃと出力側コイルリード線３０ｂ（図示せず）、３０ｃを設け、制御部２５ｂにも底中央誘導コイル３８ｂと底縁誘導コイル３９ｂそれぞれの入力側基板リード２９ｂ、２９ｃと出力コイルリード線３０ｂ、３０ｃに接続する入力側基板リード線３１ｂ、３１ｃと出力側基板リード線３２ｂ、３２ｃを設けることにより、底中央誘導コイル３８ｂと底縁誘導コイル３９ｂの個別制御ができるよう構成している。他の構成は上記実施例１または２と同じである。
【００４１】
上記構成において動作を説明する。なお、制御部２５に相対する誘導コイル２４の巻数を１巻減じることで、炊飯器本体２１内の雰囲気温度を含めた鍋２２の加熱の均等化する点は、上記実施例１と同じであるので説明を省略する。
【００４２】
この場合の各リード線の配線は４箇所必要となるが、近接するコイルリード線の保護枠２６からの引出し高さおよび配線ボス３３ｂに高低差を設け制御部２５両端近傍に配設することにより、配線スペースおよび各リード線長さを拡大することなく構成することができる。
【００４３】
このように鍋底中央と鍋底縁に加熱部分が分かれ、さらに別々に加熱することができることにより、炊飯量や、ご飯の硬さ炊き分け、米の銘柄および「吸水」、「炊き上げ」、「むらし」の各炊飯工程に適した鍋２２底中央、鍋２２底縁の加熱バランス・タイミングを行うことができ、ご飯をよりおいしく炊き上げることができる。
【００４４】
なお、本実施例では、底中央誘導コイル３８、底縁誘導コイル３９をそれぞれ鍋２２の底面に配置したが、底中央誘導コイル３８、底縁誘導コイル３９は底２２の底面に限るものではなく、鍋２２の側方に配置させてもよく、同様の作用効果を得ることができる。
【００４５】
また、本実施例では、制御部２５ｂに相対する位置の誘導コイルの巻数を１巻少ない巻数とし配置しているが、制御部２５ｂの配置ではなく、ボディの吸気口などにより誘導コイルの巻数を設定し、炊飯器本体内雰囲気温度も含めた鍋の加熱の均一化を行うようにしてもよく、同様の作用効果を得ることができる。
【００４６】
また、底中央誘導コイル３８ｂと底縁誘導コイル３９ｂを同時通電しない仕様とすることにより、基板リード線２本を１本化し、基板リード線を３本にすることも可能である。
【００４７】
（実施例４）
図５および図６に示すように、誘導コイル２４は、両端の先端に有底で略ナット形状を有する端子４０を圧着し、配線ボス３３ｃ先端に端子４０のナット部が位置するよう保護枠２６にインサート成形している。このとき、端子４０は保護枠２６内で誘導コイル２４と契合していることにより保護枠２６よりコイルリード線は引出されていない。他の構成は上記実施例１と同じである。
【００４８】
上記構成において作用を説明する。誘導コイル２４と制御部２５の配線は、制御部２５からの入力側基板リード線３１ｄと出力側基板リード線３２ｄは、上記実施例１と同様に、配線部分である配線ボス３３ｃの先端に配線するが、誘導コイル２４は配線ボス３３ｃの先端に直接接続されていることにより配線処理を必要とせず、各基板リード線のみの配線処理でよい。
【００４９】
コイルリード線の配線処理をなくしたことにより、炊飯器の組立作業をさらに効率化するとができる。また、誘導コイル２４の先端の端子４０がナット形状を有していることにより、有底ナット３４が不要となり、部品数を減らし材料費を下げることができる。
【００５０】
【発明の効果】
以上のように本発明の請求項１に記載の発明によれば、炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルに巻数が１巻少ない箇所を設けたから、電子部品や電気接続部など動作時発熱する部品を有する制御部により炊飯器本体内部温度が部分的に変化した場合でも、制御部に相対する誘導コイルの巻数を１巻削減することで鍋の発熱量を部分的に減少させることができ、このように鍋の発熱量を部分的に減少させて調整することにより鍋の加熱ばらつきを低減できて、ご飯の炊きむらをなくし、ご飯のおいしさを向上することができる。
【００５１】
また、請求項２に記載の発明によれば、制御部は保護枠の側近傍に位置し、誘導コイルの２本のリード線引出し位置の間に制御部を配置したから、誘導コイルに接続したコイルリード線と、制御部に接続した基板リード線の長さを短縮することができ、また、絶縁部材をなくすことにより材料コストを低減でき、また、リード線長さが短くなったことにより各リード線の配線処理を簡素化し組立作業効率を向上することができる。
【００５２】
また、請求項３に記載の発明によれば、誘導コイルを複数設けたから、個々の誘導コイルより磁束が発生し相対する鍋部分を発熱させることとなり、鍋の形状にあわせ発熱位置を調整し炊飯に適した鍋の温度分布にすることができ、ご飯のおいしさを向上することができる。
【００５３】
また、請求項４に記載の発明によれば、複数の誘導コイルの制御を分離し個別制御可能としたから、さらに細やかな鍋温度の制御をすることができ、ご飯を炊き上げるに際し「吸水」、「炊き上げ」、「むらし」大別できるが、各炊き上げの工程で鍋の必要な部分に適切な加熱を行うことにより、ご飯のおいしさをさらに向上することができる。
【００５４】
また、請求項５に記載の発明によれば、炊飯器本体と、前記炊飯器本体内に着脱自在に収納される鍋と、前記炊飯器本体内に設け前記鍋を加熱する誘導コイルと制御部からなる加熱手段と、前記誘導コイルを保持する保護枠と、前記炊飯器本体の外郭を構成するボディと、前記炊飯器本体の上面開口部を覆う蓋体とを備え、前記誘導コイルのコイル線の先端を略ナット形状を有する端子とし、前記保護枠の配線ボス上に前記端子をインサート成形したから、略ナット形状を有する端子がコイルリード線と基板リード線のビス締め配線部に設けていた有底ナットの役割を果すことにより、有底ナットを削除し構成部品を減らし、また、コイルリード線の配線作業がなくなることにより組立作業を効率化することができて、製造原価を低減することができる。
【図面の簡単な説明】
【図１】
本発明の第１の実施例の炊飯器の一部切欠した側面図
【図２】
同炊飯器の一部切欠した拡大斜視図
【図３】
本発明の第２の実施例の炊飯器の一部切欠した斜視図
【図４】
本発明の第３の実施例の炊飯器の一部切欠した斜視図
【図５】
本発明の第４の実施例の炊飯器の一部切欠した斜視図
【図６】
同炊飯器の一部切欠した要部拡大斜視図
【図７】
従来の炊飯器の一部切欠した側面図
【図８】
同炊飯器の一部切欠した拡大斜視図
【符号の説明】
２１  炊飯器本体
２２  鍋
２３  加熱手段
２４  誘導コイル
２５  制御部
２６  保護枠
２７  ボディ
２８  蓋体